【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
少なくとも有機ホスト材料に、光酸発生剤及び酸敏感性蛍光材料が添加された記録部を有する
ことを特徴とする光記録再生媒体。
【請求項２】
上記光酸発生剤の光吸収波長に対応するレーザ光を局所的に集光させて酸を発生させ、上記酸敏感性蛍光材料の光吸収及び発光スペクトルが局所的に変化されることにより、記録が行われることを特徴とする請求項１記載の光記録再生媒体。
【請求項３】
上記光酸発生剤の光吸収スペクトルの中心波長が、酸性雰囲気下及び非酸性雰囲気下における上記酸敏感性蛍光材料の光吸収スペクトルの中心波長と異なる材料にそれぞれ選定されることを特徴とする請求項１記載の光記録再生媒体。
【請求項４】
上記酸敏感性蛍光材料の光吸収によって生じる蛍光の発光スペクトルの中心波長が、上記光酸発生剤の光吸収スペクトルの中心波長とも、酸性雰囲気下及び非酸性雰囲気下における上記酸敏感性蛍光材料の光吸収スペクトルの中心波長とも異なる材料にそれぞれ選定されることを特徴とする請求項１記載の光記録再生媒体。
【請求項５】
少なくとも有機ホスト材料に、酸敏感性蛍光材料及び光酸発生剤が添加されて成る記録部を有する光記録再生媒体に対し、
上記光酸発生剤の光吸収波長に対応するレーザ光を局所的に集光させて酸を発生させ、上記酸敏感性蛍光材料の光吸収スペクトル及び発光スペクトルを局所的に変化させることにより記録を行う
ことを特徴とする光記録再生方法。
【請求項６】
上記光記録再生媒体への少なくとも記録用のレーザとして、多光子過程による記録が可能な短パルス化されたレーザを用いることを特徴とする請求項５記載の光記録再生方法。
【請求項７】
上記光酸発生剤の光吸収スペクトルの中心波長λａと、記録に用いる上記レーザの波長λｗとを、
λａ≒λｗ／ｎ
（ｎ：２以上の整数）
とすることを特徴とする請求項６記載の光記録再生方法。
【請求項８】
上記酸敏感性蛍光材料の、酸性雰囲気下での光吸収スペクトルの中心波長λｓと、再生に用いるレーザの波長λｒとを、
λｓ≒λｒ／ｎ
（ｎ：２以上の整数）
とすることを特徴とする請求項６記載の光記録再生方法。
【請求項９】
上記酸敏感性蛍光材料の、酸性雰囲気下での光吸収スペクトルの中心波長λｓと、再生に用いるレーザの波長λｒとを、
λｓ≒λｒ
とすることを特徴とする請求項５記載の光記録再生方法。
【請求項１０】
上記光記録再生媒体に対する再生光学系を、共焦点光学系で構成することを特徴とする請求項９記載の光記録再生方法。
【手続補正２】
【補正対象書類名】明細書
【補正対象項目名】００２８
【補正方法】変更
【補正の内容】
【００２８】
更にまた上述の光記録再生方法において、光酸発生剤の光吸収スペクトルの中心波長λａと、記録に用いる上記レーザの波長λｗとを、
λａ≒λｗ／ｎ
（ｎ：２以上の整数）
とすることにより、１つの波長のレーザにより多光子過程を利用して、光酸発生剤の光吸収を発生させることができる。
【手続補正３】
【補正対象書類名】明細書
【補正対象項目名】００２９
【補正方法】変更
【補正の内容】
【００２９】
更にまた、酸敏感性蛍光材料の、酸性雰囲気下での光吸収スペクトルの中心波長λｓと、再生に用いるレーザの波長λｒとを、
λｓ≒λｒ／ｎ
（ｎ：２以上の整数）
とすることにより、同様に、１つの波長のレーザにより多光子過程を利用して、酸敏感性蛍光材料の光吸収を発生させることができる。
【手続補正４】
【補正対象書類名】明細書
【補正対象項目名】００３０
【補正方法】変更
【補正の内容】
【００３０】
また更に本発明による光記録再生方式において、酸敏感性蛍光材料の、酸性雰囲気下での光吸収スペクトルの中心波長λｓと、再生に用いるレーザの波長λｒとを、
λｓ≒λｒ
とする場合においては、共焦点光学系により再生することにより、多層記録再生が可能となる。
【手続補正５】
【補正対象書類名】明細書
【補正対象項目名】００４０
【補正方法】変更
【補正の内容】
【００４０】
更に本発明において、光記録媒体へのデータの記録または再生に際して用いるレーザ光源として、多光子過程での記録可能な程度に短パルス化したものを用いることにより、多層記録化を実現することができる。この場合、光酸発生剤の光吸収波長λａと、記録に用いる短パルス化されたレーザの波長λｗとが、
λａ≒λｗ／ｎ（ｎ：２以上の整数）
となるように、光酸発生剤の材料及びレーザ光源を選定する。この場合、光酸発生剤のレーザ光を集光した位置において局所的に２光子吸収などの多光子吸収過程が生じて、所望の多層記録が実現できる。
【手続補正６】
【補正対象書類名】明細書
【補正対象項目名】００４１
【補正方法】変更
【補正の内容】
【００４１】
尚、再生に関しては、用いるレーザ光源の特性に従って、二つの方法が考えられる。
第一の再生方法としては、記録時と同様に多光子吸収可能な超短パルスレーザを用いる方法である。この場合、光記録媒体に添加されている酸敏感性蛍光材料の、酸性雰囲気下での光吸収スペクトルの中心波長λｓと、再生用の超短パルスレーザの波長λｒとが、
λｓ≒λｒ／ｎ（ｎ：２以上の整数）
となるように、酸敏感性蛍光材料及びレーザ光源を選定する。このような構成とすることによって、超短パルスレーザを集光した位置において局部的に、２光子吸収など多光子吸収過程による酸敏感性蛍光材料の光吸収を生じさせ、これによる蛍光の発光を検出して、多層に記録された記録マークの所望の層の再生を効率よく行うことができる。
【手続補正７】
【補正対象書類名】明細書
【補正対象項目名】００４３
【補正方法】変更
【補正の内容】
【００４３】
また、第二の再生方法としては、多光子吸収可能な超短パルスレーザではなく、多光子過程を誘起できない程度のパルス幅を有するパルスレーザまたは連続発振するレーザ光源を用いる方法も可能である。この場合、記録媒体に添加されている酸敏感性蛍光材料の、酸性雰囲気下での光吸収スペクトルの中心波長λｓが、再生用レーザ光源の発振波長λｒに対し、
λｓ≒λｒ
となるように材料及びレーザ光源を選定し、かつ、再生光学系を共焦点光学系で構成することにより、所望の多層記録による記録マークの再生が可能となる。
【手続補正８】
【補正対象書類名】明細書
【補正対象項目名】００８６
【補正方法】変更
【補正の内容】
【００８６】
一例として、有機ホスト材料としてＰＭＭＡ、光酸発生剤として上記表１における材料２（すなわち和光純薬（株）社製、ＷＰＡＧ−２８１（商品名）、光吸収波長λａは２００〜３００ｎｍ以下程度）、酸敏感性蛍光材料として上記化２２に示すモレキュラプローブス社製、ＬｙｓｏＳｅｎｓｏｒ（登録商標）のＬ−７５４５（商品名、酸性雰囲気下での光吸収中心波長λｓは４００ｎｍ程度）を用い、キャストフィルムを作製した場合の観察結果を以下に説明する。
【手続補正９】
【補正対象書類名】明細書
【補正対象項目名】００８９
【補正方法】変更
【補正の内容】
【００８９】
そしてこのような記録再生系によって、記録波長λｗ＝８００ｎｍのチタンサファイアレーザを用いて、パルス幅は約２００ｆｓ、繰り返し周波数８０ＭＨｚ、平均出力パワーを約１２ｍＷとして、３光子過程又は４光子過程（λａ≒λｗ／ｎ、ｎ＝３又は４）で媒体の表面から５０μｍの層に記録を行った。光記録媒体は電動ステージ上に設置し、そのスキャンスピードは約２４０μｍ／ｓ、媒体への照射ビームの開口数ＮＡは１．３５とした。
【手続補正１０】
【補正対象書類名】明細書
【補正対象項目名】００９０
【補正方法】変更
【補正の内容】
【００９０】
また再生は、波長４００ｎｍで連続発振する青色レーザダイオードを搭載した共焦点顕微鏡で行い（λｒ≒λｓ、すなわち１光子過程）、照射によって得られる蛍光の発光（発光中心波長は５００〜５２０ｎｍ付近）を、フォトマルチメーターを使って観測して行った。
【手続補正１１】
【補正対象書類名】明細書
【補正対象項目名】００９２
【補正方法】変更
【補正の内容】
【００９２】
図５及び図６においては、比較例としてＰＭＭＡに上述の条件によるレーザ光照射を行った媒体の光学顕微鏡による観察図と、その共焦点レーザ顕微鏡による信号観察図をそれぞれ示す。図５に示すように、この比較例ではその表面に熱変形部１１が見られる。また、図６から明らかなように、記録レーザ出力がボイド形成のための記録しきい値（Ｅｔｈ≒３．９ｎＪ）以下の出力であるにもかかわらず、繰り返しの高出力レーザの照射による熱的な影響で、爆発したような発光形状となっていることがわかる。